(57)【要約】【課題】インバータ回路の高周波出力の影響で発生するノイズが、入力電源線２４を通じて他の電気機器に影響するのを低減できる照明装置１１を提供する。【解決手段】点灯装置２３の入力電源線２４の一部にループ部２９を形成し、入力電源線２４を器具本体１２に配線する。密着手段３２によって入力電源線２４の一部を器具本体１２に密着させる。入力電源線２４に、インダクタとコンデンサとで構成するノイズフィルタ回路と等価の機能を与える。ノイズフィルタ回路の機能により、インバータ回路の高周波出力の影響で発生するノイズが、入力電源線２４を通じて他の電気機器に影響するのを低減できる。【選択図】        図１
2004327353.tif 000002
【特許請求の範囲】
【請求項１】
器具本体と；
ランプを点灯させるインバータ点灯回路を有する点灯装置と；
点灯装置の入力側に接続され、一部にループ部を形成して器具本体に配線された入力電源線と；
を具備していることを特徴とする照明装置。
【請求項２】
器具本体に、入力電源線の一部をループ状に取り付けるループ状取付部を設けた
ことを特徴とする請求項１記載の照明装置。
【請求項３】
入力電源線を器具本体に密着させる密着手段を具備している
ことを特徴とする請求項１または２記載の照明装置。
【発明の詳細な説明】
【０００１】
【発明の属する技術分野】
本発明は、インバータ点灯回路を有する点灯装置でランプを点灯させる照明装置に関する。
【０００２】
【従来の技術】
従来、インバータ点灯回路を有する点灯装置でランプを点灯させる照明装置では、ランプ点灯時に、インバータ回路の高周波出力の影響で発生するノイズが点灯装置に接続される入力電源線に重畳され、入力電源線を通じて他の電気機器にノイズが伝わり、他の電気機器が正常に動作しない場合があることが知られている（例えば、特許文献１参照）。
【０００３】
特に、器具本体における入力電源線の配線の引き回し方や配線のばらつきによっては、テレビジョンに影響しやすい周波数帯のノイズが入力電源線に発生しやすくなり、テレビジョンの画像にノイズが影響するおそれがある。
【０００４】
【特許文献１】
特開２０００−１８２７８５号公報（第２頁）
【０００５】
【発明が解決しようとする課題】
上述のように、器具本体における入力電源線の配線の引き回し方や配線のばらつきにより、インバータ回路の高周波出力の影響で発生するノイズが入力電源線に重畳され、入力電源線を通じて他の電気機器にノイズの影響を及ぼす問題がある。
【０００６】
本発明は、このような点に鑑みなされたもので、器具本体における入力電源線の配線の引き回し方や配線のばらつきにかかわらず、インバータ回路の高周波出力の影響で発生するノイズが入力電源線を通じて他の電気機器に影響するのを低減できる照明装置を提供することを目的とする。
【０００７】
【課題を解決するための手段】
請求項１記載の照明装置は、器具本体と；ランプを点灯させるインバータ点灯回路を有する点灯装置と；点灯装置の入力側に接続され、一部にループ部を形成して器具本体に配線された入力電源線と；を具備しているものである。
【０００８】
そして、この構成では、点灯装置の入力電源線を一部にループ部を形成して器具本体に配線したため、ノイズフィルタ回路部品を別に用いることなく、ノイズフィルタ回路と等価の機能が得られ、器具本体における入力電源線の配線の引き回し方や配線のばらつきにかかわらず、他の電機機器に影響しやすい周波数帯のノイズが低減される。
【０００９】
請求項２記載の照明装置は、請求項１記載の照明装置において、器具本体に、入力電源線の一部をループ状に取り付けるループ状取付部を設けたものである。
【００１０】
そして、この構成では、器具本体に設けたループ状取付部を利用することで入力電源線の一部をループ状に簡単に取り付けられ、入力電源線の配線が容易になる。
【００１１】
請求項３記載の照明装置は、請求項１または２記載の照明装置において、入力電源線を器具本体に密着させる密着手段を具備しているものである。
【００１２】
そして、この構成では、密着手段によって入力電源線を器具本体に密着させるため、ノイズフィルタ回路の機能が向上し、入力電源線に伝わるノイズが確実に低減する。
【００１３】
【発明の実施の形態】
以下、本発明の一実施の形態を図面を参照して説明する。
【００１４】
図１ないし図４に第１の実施の形態を示し、図１は照明装置の器具本体の一部における斜視図、図２は照明装置の器具本体の斜視図、図３は照明装置のノイズ除去に関する等価回路図、図４は照明装置におけるノイズの測定結果を比較するグラフである。
【００１５】
図２に示すように、照明装置１１は、薄型の天井直付型照明装置であって、天井面に取り付けられる器具本体１２を有している。この器具本体１２は、金属製で略正方形に形成され、一面である上面が天井面に設置される設置面として、他面である下面が器具取付面１３としてそれぞれ形成され、中央には天井面に予め設置される図示しない引掛シーリングに取り付けられる器具本体取付部１４が形成されている。この器具本体取付部１４には引掛シーリングに臨む円形の孔部１５が形成され、この孔部１５の周縁部には引掛シーリングに取り付けられた一対の取付ねじが挿通されて締め付け固定される複数の取付溝１６が形成されている。
【００１６】
器具本体１２の器具取付面１３には、ランプとしての直管形蛍光ランプ１９が複数本配列されている。直管形蛍光ランプ１９は、例えば、管径が一般的な２８ｍｍのものに比べて細い１６ｍｍ程度の２４Ｗタイプであり、器具本体１２の器具取付面１３に対し、一方向に４本の直管形蛍光ランプ１９が等間隔でかつ平行に配列されているとともに、これら４本の直管形蛍光ランプ１９と交差する方向の両端に２本の直管形蛍光ランプ１９が配列され、計６本の直管形蛍光ランプ１９が配列されている。そして、これら直管形蛍光ランプ１９の配列位置に対応して、各直管形蛍光ランプ１９の両端の口金を着脱可能に装着するソケット２０がそれぞれ器具本体１２の器具取付面１３に取り付けられている。
【００１７】
器具本体１２の器具取付面１３には、一組の隣り合う直管形蛍光ランプ１９間に、各直管形蛍光ランプ１９を点灯させる点灯装置２３が配設されている。この点灯装置２３は、各直管形蛍光ランプ１９を例えば５３ｋＨｚ〜７０ｋＨｚの周波数帯であって平均は６０ｋＨｚの周波数帯で高周波点灯させるインバータ点灯回路を有しており、このインバータ点灯回路の入力側には引掛シーリングを通じて交流電源を供給する器具内の入力電源線２４が接続され、インバータ点灯回路の出力側には各ソケット２０にそれぞれ接続される複数の出力電源線２５が接続されている。
【００１８】
図１に示すように、入力電源線２４は、芯線を絶縁体で被覆した２線の被覆電線で構成され、一端が点灯装置２３に接続され、他端に引掛シーリングの電源部に対し電気的に接続される引掛シーリングキャップ２８が取り付けられている。
【００１９】
入力電源線２４の中間の一部には直径１０ｃｍ以下の寸法でループ状に少なくとも２周以上巻回、例えば時計回りに３周巻回したループ部２９が形成され、このループ部２９が複数の束線バンド３０によって保持されている。ループ部２９は、器具本体１２の器具取付面１３に取り付けられた複数のループ状取付部３１によって器具本体１２の器具取付面１３に取り付けられている。ループ状取付部３１は、中間部が器具本体１２に取り付けられ、この中間部から両端部が立ち上げられてそれら両端部で略Ｍ字形を構成するように形成され、これら両端部間にループ部２９を差し込み可能とするとともに差し込み状態で抜け止めするように構成されている。
【００２０】
入力電源線２４のループ部２９より点灯装置２３側は、密着手段３２によって器具本体１２に入力電源線２４の絶縁体を介して密着した状態に取り付けられている。この密着手段３２は、入力電源線２４を器具本体１２に押え付ける押えホルダ３３を有し、この押えホルダ３３がねじ３４によって器具本体１２に取り付けられている。
【００２１】
入力電源線２４のうち、少なくともループ部２９の部分には、入力電源線２４の２線が互いにねじれ合ったねじり電線が用いられている。
【００２２】
また、各ソケット２０に接続される出力電源線２５は、芯線を絶縁体で被覆した２線の被覆電線で構成され、器具本体１２の器具取付面１３に沿わせて配線されている。
【００２３】
また、器具本体１２の器具取付面１３側には、その器具取付面１３に配設された直管形蛍光ランプ１９、ソケット２０、点灯装置２３など全体を覆う透光性を有した図示しないセードなどの制光体が着脱可能に取り付けられる。
【００２４】
そして、器具本体１２に対し点灯装置２３の入力電源線２４の一部をループ状に配線するとともに、密着手段３２によって入力電源線２４を器具本体１２に密着させたため、図３に示すように、ノイズフィルタ回路と等価の機能が得られる。すなわち、入力電源線２４のループ部２９でインダクタＬ１，Ｌ２を構成し、密着手段３２で入力電源線２４をアース側である器具本体１２に密着させた位置でコンデンサＣ１，Ｃ２を構成する構造を採ることで、ノイズフィルタ回路と等価の機能が得られる。
【００２５】
図４には照明装置１１におけるノイズの測定結果を比較するグラフを示し、Ａは本実施の形態に示すノイズ対策を施したノイズ対策品、Ｂはノイズ対策を施していないノイズ未対策品の場合を示す。ノイズ対策品Ａとノイズ未対策品Ｂとの測定結果を比較すると、ノイズ対策品Ａの方がノイズ未対策品Ｂに比べて、テレビジョンに影響しやすい周波数帯である７０ＭＨｚ〜１２０ＭＨｚの周波数のノイズが低減した。
【００２６】
そして、ノイズ対策品Ａとノイズ未対策品Ｂとで、実際にテレビジョンに各受信チャンネルの画像を映し、この画像におけるノイズの視覚評価を行った。その結果を表１に示し、ノイズ評価は０、１、２、３、４の数値で表し、数値が小さい方がノイズがなく、数値が大きいほどノイズが多い。
【００２７】
【表１】
2004327353.tif 000003
【００２８】
ノイズ未対策品Ｂは、ノイズ評価が２以上で、各受信チャンネルでノイズが出て、ノイズ評価が３の受信チャンネルではノイズが気になる場合があった。
【００２９】
ノイズ対策品Ａは、ノイズ評価が０で、ノイズが確認されなかった。したがって、テレビジョンに影響しやすい周波数帯である７０ＭＨｚ〜１２０ＭＨｚの周波数のノイズが低減したことにより、ノイズ低減の効果が得られた。
【００３０】
このように、器具本体１２に対し点灯装置２３の入力電源線２４の一部をループ状に配線することにより、ノイズフィルタ回路部品を別に用いることなく、ノイズフィルタ回路と等価の機能が得られ、器具本体１２における入力電源線２４の配線の引き回し方や配線のばらつきにかかわらず、特にテレビジョンなどの他の電機機器に影響しやすい周波数帯のノイズを低減できる。
【００３１】
入力電源線２４のループ部２９の直径は１０ｃｍ以下にすることにより、ノイズフィルタ回路におけるインダクタＬ１，Ｌ２としての機能が確実になり、入力電源線２４に伝わるノイズを確実に低減できる。すなわち、１０ｃｍより大きい場合、ノイズフィルタ回路におけるインダクタＬ１，Ｌ２として十分に機能せず、ノイズ低減効果が減少してしまう。
【００３２】
さらに、入力電源線２４のループ部２９の巻回数は２周以上にすることにより、ノイズフィルタ回路におけるインダクタＬ１，Ｌ２としての機能が確実になり、入力電源線２４に伝わるノイズを確実に低減できる。すなわち、１周のみでは、ノイズフィルタ回路におけるインダクタＬ１，Ｌ２として十分に機能せず、ノイズ低減効果が減少してしまう。
【００３３】
しかも、密着手段３２によって入力電源線２４を器具本体１２に密着させることにより、ノイズフィルタ回路におけるコンデンサＣ１，Ｃ２としての機能が確実になり、入力電源線２４に伝わるノイズを確実に低減できる。すなわち、入力電源線２４が器具本体１２から離れると、ノイズフィルタ回路におけるコンデンサＣ１，Ｃ２として十分に機能せず、ノイズ低減効果が減少してしまう。
【００３４】
また、器具本体１２に設けたループ状取付部３１を利用することで入力電源線２４の一部をループ状に簡単に取り付けることができ、入力電源線２４を容易に配線できる。しかも、入力電源線２４を器具本体１２の一定位置に配線させることができ、配線のばらつきを少なくできる。
【００３５】
また、入力電源線２４の少なくともループ部２９にねじり電線を用いることにより、入力電源線２４の２線が互いに密着しやすく、密着するほど、ノイズフィルタ回路におけるインダクタＬ１，Ｌ２としての機能が確実になり、入力電源線２４に伝わるノイズを確実に低減できる。
【００３６】
また、図５に示すように、入力電源線２４には、少なくともループ部２９に、平行フィーダのような入力電源線２４の２線が互いに平行に設けられる平行電線を用いることにより、入力電源線２４の２線の間隔があくことがなく、ノイズフィルタ回路におけるインダクタＬ１，Ｌ２としての機能が確実になり、入力電源線２４に伝わるノイズを確実に低減できる。
【００３７】
しかも、入力電源線２４のループ部２９を束線バンド３０で束線して密着させることにより、ノイズフィルタ回路におけるインダクタＬ１，Ｌ２としての機能が確実になり、入力電源線２４に伝わるノイズを確実に低減できる。
【００３８】
なお、照明装置１１は、ランプとして、直管形蛍光ランプを使用する照明装置に限らず、環形蛍光ランプを使用する照明装置にも適用でき、同様の作用効果が得られる。
【００３９】
【発明の効果】
請求項１記載の照明装置によれば、点灯装置の入力電源線を一部にループ部を形成して器具本体に配線したため、ノイズフィルタ回路部品を別に用いることなく、ノイズフィルタ回路と等価の機能が得られ、器具本体における入力電源線の配線の引き回し方や配線のばらつきにかかわらず、他の電機機器に影響しやすい周波数帯のノイズを低減できる。
【００４０】
請求項２記載の照明装置によれば、請求項１記載の照明装置の効果に加えて、器具本体に設けたループ状取付部を利用することで入力電源線の一部をループ状に簡単に取り付けることができ、入力電源線を容易に配線できる。
【００４１】
請求項３記載の照明装置によれば、請求項１または２記載の照明装置の効果に加えて、密着手段によって入力電源線を器具本体に密着させるため、ノイズフィルタ回路の機能を向上させ、入力電源線に伝わるノイズを確実に低減できる。
【図面の簡単な説明】
【図１】本発明の照明装置の第１の実施の形態を示す器具本体の一部における斜視図である。
【図２】同上照明装置の器具本体の斜視図である。
【図３】同上照明装置のノイズ除去に関する等価回路図である。
【図４】同上照明装置におけるノイズの測定結果を比較するグラフである。
【図５】本発明の第２の実施の形態を示す照明装置の器具本体の一部における斜視図である。
【符号の説明】
１１    照明装置
１２    器具本体
１９    ランプとしての直管形蛍光ランプ
２３    点灯装置
２４    入力電源線
２９    ループ部
３１    ループ状取付部
３２    密着手段
【図１】
2004327353.tif 000004
【図２】
2004327353.tif 000005
【図３】
2004327353.tif 000006
【図４】
2004327353.tif 000007
【図５】
2004327353.tif 000008